(57)【特許請求の範囲】
【請求項１】
選別小米の取出を受けて小米を排出して袋詰する小米取出ホッパ（１）に、この小米取出ホッパ（１）内に溜った小米を排出させる小米口（２）と、この小米口（２）よりも上位にオーバーフロー口（３）を形成し、この小米口（２）には、該オーバーフロー口（３）からオーバーフローする小米重量によって開くシャッター（４）を設けたことを特徴とする穀粒選別機の小米取出装置。
【請求項２】
前記オーバーフロー口（３）からオーバーフローされた小米を流下案内する流下板（５）面を、該小米取出ホッパ（１）の外側に形成したことを特徴とする請求項１に記載の穀粒選別機の小米取出装置。
【発明の詳細な説明】
【技術分野】
【０００１】
この発明は、穀粒選別機から取出される小米を袋詰するための小米取出装置に関し、この袋詰め袋替作業を行い易くするものである。
【背景技術】
【０００２】
穀粒選別機で選別される小米（屑米）を取出しながら袋詰する技術（例えば、特許文献１参照）が知られている。
【特許文献１】実公昭６０−３６３８９号公報（第１頁、図２）
【発明の開示】
【発明が解決しようとする課題】
【０００３】
穀粒選別機による選別作業においては、整粒である玄米の取出量が多いのに対して屑粒である小米等の取出量は少なく、単に取出口に袋を設置して袋詰する形態では、袋替作業のタイミングを見過し易く、散漫になり易い。
【課題を解決するための手段】
【０００４】
請求項１に記載の発明は、選別小米の取出を受けて小米を排出して袋詰する小米取出ホッパ１に、この小米取出ホッパ１内に溜った小米を排出させる小米口２と、この小米口２よりも上位にオーバーフロー口３を形成し、この小米口２には、該オーバーフロー口３からオーバーフローする小米重量によって開くシャッター４を設けたことを特徴とする穀粒選別機の小米取出装置とする。穀粒選別機による選別作業において、選別された小米が小米取出ホッパ１に取出される。この小米取出ホッパ１の小米口２に予め袋口をのぞませておき、この小米口２から排出される小米を袋詰することができる。この小米口２から排出された小米の袋詰が一杯になると、小米口２をシャッター４で閉鎖しているため、この小米取出ホッパ１内に貯溜される。この小米取出ホッパ１の小米量が満杯になると、継続して取出される小米は上部のオーバーフロー口３から外側へオーバーフローする。このオーバーフローされた小米を受けて予め閉鎖していたシャッター４を開いて、この開かれた小米口２から小米取出ホッパ１内に溜っている小米を流出させて、この小米口２にのぞませた袋等に排出する。
【０００５】
請求項２に記載の発明は、前記オーバーフロー口３からオーバーフローされた小米を流下案内する流下板５面を、該小米取出ホッパ１の外側に形成したことを特徴とする。小米口２から排出される小米の袋詰が一杯になると、小米取出ホッパ１に溜められて、このオーバーフロー口３からオーバーフローし、流下板５面を流下する小米によって、この小米取出ホッパ１の小米口２が開かれて、小米取出ホッパ１内の貯溜小米の排出を行わせる。この小米のオーバーフロー口３からのオーバーフローの状態は、小米取出ホッパ１外側面の流下板５面を流下するため、作業者はこのオーバーフロー状態を容易に見ることができる。
【発明の効果】
【０００６】
請求項１に記載の発明は、小米取出ホッパ１の小米口２における小米袋詰において、この袋が一杯になると後続取出を小米取出ホッパ１内に溜めることができ、しかもこの小米取出ホッパ１の小米口２のシャッター４を、オーバーフロー口３からのオーバーフロー小米重量によって自動的に開いて袋詰排出させるものであるから、袋替え時間を長くすることができ、余裕をもって容易に行うことができるとともに、袋替えの際にシャッター４を開け忘れても、オーバーフローする小米重量によって小米口２のシャッター４を自動的に開放させることができる。
【０００７】
請求項２に記載の発明は、流下板５が小米取出ホッパ１の外側面に形成されているため、作業者はこのオーバーフローする小米の落下状況を容易に確認することができ、小米袋の取替を的確に行うことができる。
【発明を実施するための最良の形態】
【０００８】
図例に基づいて、玄米等の穀粒を選別する選別機は、選別網目を形成した円筒状の選別筒を縦方向に設けて、この選別筒の内側に沿って揚送螺旋を回転させることにより、穀粒を下部から上方へ揚送しながら、この選別筒から外周へ小米等の屑粒を漏出させて、整粒玄米と、屑粒小米とに選別する縦形選別機の形態としている。このような選別筒や揚送螺旋等を内装する選別ケース１０タワーの背面に、選別しようとする玄米を供給する供給ホッパ１１を有し、上部正面に選別された玄米を取出す玄米取出口１２を有した貯留タンク１３を形成する。又、この選別ケース１０の左右一側面に選別小米の取出口１４を形成すると共に、この外側に小米取出ホッパ１をボルト１５締めによって着脱可能に取付ける。この小米取出ホッパ１の小米口２下には、小米を袋詰するための小米袋１６を置くことができる。又、小米取出ホッパ１下部の排出口２５には、糠を袋詰する糠袋３１の袋口部を吊持する袋口ホルダー１７を設けてある。又、前記玄米取出口１２には開閉可能のシャッター１８を設け、下方には玄米袋１９を支持して計量する秤量器２０、及び袋ホルダー２１等を設置することができる。又、前記小米取出ホッパ１の上方には、貯留タンク１３の側面にわたって空袋２２を収容保持する杆材から形成される袋受器２３をボルト２４締めによって着脱可能に取付ける。
【０００９】
ここにおいて、この発明に係る小米取出装置は、選別小米の取出を受けて小米を排出して袋詰する小米取出ホッパ１に、この小米取出ホッパ１内に溜った小米を排出させる小米口２と、この小米口２よりも上位にオーバーフロー口３を形成し、この小米口２には、該オーバーフロー口３からオーバーフローする小米重量によって開くシャッター４を設けたことを特徴とする穀粒選別機の小米取出装置である。
又、前記オーバーフロー口３からオーバーフローされた小米を流下案内する流下板５面を、該小米取出ホッパ１の外側に形成したことを特徴とする穀粒選別機の小米取出装置である。
【００１０】
前記小米取出ホッパ１は、下端部に糠の排出口２５を形成し、この排出口２５よりも上位で外側に小米口２を形成し、上方の取出口１４と略同位にオーバーフロー口３を形成する。この排出口２５には、糠袋３１の袋口をのぞませ、吊持することのできる袋口ホルダ１７を設けてある。この小米取出ホッパ１は選別ケース１０の横側に膨出して形成され、この側端部に小米口２を形成し、この小米口２の下端縁のシャッタヒンジ２６の周りにシャッター４を上下回動自在に支持する。このシャッター４は、小米取出ホッパ１の上部に形成される流下板５の下端縁よりも上側に突出するように広くした断面コの字形状の小米受部３０が形成されて、この前縁部に開閉操作用のハンドル２７を設ける。このハンドル２７の先端部に適宜重さのウエイト２８を形成し、このシャッター４を開閉回動Ａしたときは、このウエイト２８部がトグル形態に支点越えして、自重により小米口２の開位置Ｂ、又は閉位置Ｃを維持するように構成している。
【００１１】
この小米取出ホッパ１の上側面には小米口２に向けて下り傾斜の流下板５を設け、この上端部にオーバーフロー口３を形成する。このオーバーフロー口３の上側を覆うカバー２９を設ける。このオーバーフロー口３からオーバーフローする小米を流下板５面に沿って流下させて、前記閉位置Ｃにあるシャッター４の前記小米受部３０に受けさせる。この小米受部３０は、閉位置Ｃでは流下板５面よりも上位に高く突出して所定量の小米を貯溜可能に形成している。この小米受部３０に小米が収容されるとトグル形態に閉位置Ｃにあるシャッター４を、このウエイト２８の重量に抗してヒンジ２６周りに回動して、開位置Ｂに回動させて、小米口２を開くことができる。又、このシャッター４を閉鎖するときは、ハンドル２７を操作して回動Ａする。図２に示すように、オーバーフロー口３からオーバーフローして流下板５上面を流下する小米を小米受部３０に案内する流下案内体３５を設けてもよく、又、流下板５上を覆う透明カバー等を設けることもできる。
【００１２】
籾摺機で籾摺された玄米を供給ホッパ１１に供給しながら選別作業を行わせる。この選別機で選別される玄米は玄米取出口１２から取出されて、秤量器２０上の玄米袋１９に袋詰される。この玄米袋１９が一杯になる毎に、予め収容している袋受器２３の空袋２２を取出しながら袋１９替え操作を行う。この場合、空袋２２が選別ケース１０上の袋受器２３に収容されているため、この空袋２２の取出、袋替えを簡単、迅速に行うことができる。又、空袋２２の収容は、前後に幅広い選別ケース１０上部、及びこの取出ホッパ１３部の側面部にわたって沿うように支持しているために、収容支持姿勢を安定させることができ、しかも袋詰作業操作等の邪魔になり難い。
【００１３】
選別される小米は取出口１４から選別ケース１０横側の小米取出ホッパ１に取出される。予めこれら小米取出ホッパ１の小米口２に小米袋１６をのぞませておき、シャッター４を開位置Ｂに操作しておく。小米取出ホッパ１に取出された小米は、小米口２から小米袋１６内に供給されて、この小米袋１６が一杯になると、作業者はシャッター４を閉位置Ｃに操作し小米袋１６の袋替えを行うことができる。この小米袋１６の袋替を行った時、シャッターを開け忘れると小米は小米取出ホッパ１内に貯溜されて、このオーバーフロー口３からオーバーフローして、流下板５面を流下することとなる。このオーバーフローした小米は閉位置Ｃのシャッター４の上端部の小米受部３０に受け溜められる。この小米受部３０の小米量が増加すると、シャッター４がこの重量によってウエイト２８に抗して、自動的に開位置Ｂへ支点越え作動する。このシャッター４の開きによって小米取出ホッパ１内に収容されていた小米が、この小米口２から小米袋１６に排出される。このとき小米受部３０に受けられていた小米も同小米袋１６に排出される。このようにして小米袋１６の袋替えを行った際、小米口２のシャッター４を開け忘れた場合にも、シャッター４が自動的に開くので、シャッター４開け忘れによる小米詰りや選別性能に影響を与えることを防ぐことができる。
【図面の簡単な説明】
【００１４】
【図１】小米取出ホッパ部の正面図。
【図２】その側面図。
【図３】そのシャッター部の作用を示す正面図。
【図４】穀粒選別機の正面図。
【図５】その側面図。
【符号の説明】
【００１５】
１    小米取出ホッパ
２    小米口
３    オーバーフロー口
４    シャッター
５    流下板
【図１】
0004655282.tif 000002
【図２】
0004655282.tif 000003
【図３】
0004655282.tif 000004
【図４】
0004655282.tif 000005
【図５】
0004655282.tif 000006